(57)【要約】【課題】  見栄えが良くてデザイン性に優れるとともに、施錠と解錠とが容易に行われる操作性の良い補助錠を提供する。【解決手段】  扉１０２と扉枠１０３との隙間から突出する係止部材１０５に取り付けられ、施錠状態において係止部材１０５から離脱できないことで扉１０２の開きを阻止する補助錠１において、補助錠１の前面形状が正円とされ、その外周に施錠と解錠のために回転操作される環状操作部４が設けられてなるもの。【選択図】図５
2018119387.tif 000002
【特許請求の範囲】
【請求項１】
扉と扉枠との隙間から突出する係止部材に取り付けられ、施錠状態において前記係止部材から離脱できないことで扉の開きを阻止する補助錠において、
当該補助錠の前面形状が正円とされ、その外周に施錠と解錠のために回転操作される環状操作部が設けられてなることを特徴とする補助錠。
【請求項２】
前記環状操作部の一端側に連動するようにダイヤル錠が設けられ、他端側に連動するように前記係止部材への係止体が設けられてなる請求項１記載の補助錠。
【請求項３】
前記係止体がシリンダー錠に連動可能に設けられ、前記シリンダー錠の解錠操作により、前記係止体の前記係止部材への係止が解除される請求項２記載の補助錠。
【発明の詳細な説明】
【技術分野】
【０００１】  この発明は、家屋や家具の扉に装着使用される補助錠に関する。
【背景技術】
【０００２】  例えば、ロッカー等には防犯性能を高めるために補助錠が使用される。また、補助錠は正規の錠が故障したり破損したりした場合に便利に使用される。しかしながら現状における補助錠は、デザイン的に優れず、また、操作性もあまり良くないという問題点があった。
【発明の概要】
【発明が解決しようとする課題】
【０００３】  この発明は上記の事情に鑑みて行ったもので、見栄えが良くてデザイン性に優れるとともに、施錠と解錠とが容易に行われる操作性の良い補助錠を提供することを目的とする。
【課題を解決するための手段】
【０００４】  この発明は、扉と扉枠との隙間から突出する係止部材に取り付けられ、施錠状態において前記係止部材から離脱できないことで扉の開きを阻止する補助錠において、当該補助錠の前面形状が正円とされ、その外周に施錠と解錠のために回転操作される環状操作部が設けられてなる構成とする。【０００５】  上記補助錠は前面形状が正円とされていることで見栄えが良く、環状操作部を回転操作することで施錠と解錠とが容易に行われる。環状操作部が正円の外周に有って円形であるので手になじみ易く操作が行いやすい。とくに、補助錠が扉に一体に固定使用される場合は、解錠操作後にそのまま環状操作部を持って扉を開くことができることで、便利に使用される。施錠機構としては環状操作部により解錠、施錠可能なものであれば、ダイヤル錠やシリンダー錠等の適宜のものが採用される。【０００６】  環状操作部の一端側に連動するようにダイヤル錠が設けられ、他端側に連動するように係止部材への係止体が設けられてなる構成とすることで、ダイヤル錠の操作に対応して環状操作部の回転操作で施錠と解錠とが容易に行われる。【０００７】  係止体がシリンダー錠に連動可能に設けられ、シリンダー錠の解錠操作により、係止体の係止部材への係止が解除される構成とされることで、ダイヤル錠の設定番号を忘れたり分からない場合に、シリンダー錠の操作により解錠が行われる。
【発明の効果】
【０００８】  この発明によれば、見栄えが良くてデザイン性に優れるとともに、施錠と解錠とが容易に行われる補助錠が得られる。
【図面の簡単な説明】
【０００９】
【図１】  この発明の補助錠の実施形態の前面図
【図２】  この発明の補助錠の実施形態の背面図
【図３】  この発明の補助錠の実施形態の側面図
【図４】  この発明の補助錠の実施形態の縦断面図
【図５】  この発明の補助錠の実施形態の内部構成図
【図６】  この発明の補助錠に使用する部品の実施形態の前面図
【図７】  この発明の補助錠に使用するシリンダー錠の実施形態の分解図
【図８】  この発明の補助錠に使用するシリンダー錠の実施形態の断面図
【図９】  この発明の補助錠に使用する部品の実施形態の前面図
【図１０】  この発明の補助錠に使用する部品の実施形態の部分図
【図１１】  この発明の補助錠の実施形態の取り付け説明図
【図１２】  この発明の補助錠の実施形態の取り付け説明図
【図１３】  この発明の補助錠に使用する部品の実施形態の前面図
【図１４】  この発明の補助錠の実施形態の動作説明図
【図１５】  この発明の補助錠の実施形態の動作説明図
【図１６】  この発明の補助錠の実施形態の動作説明図
【図１７】  この発明の補助錠の実施形態のダイヤル錠の外ケースを外した背面図
【図１８】  この発明の補助錠の実施形態のダイヤル錠の背面図
【図１９】  この発明の補助錠の実施形態の背面図
【図２０】  この発明の補助錠のダイヤル錠の他の実施形態の正面図
【図２１】  この発明の補助錠のダイヤル錠のダイヤルリングの他の実施形態の展開図
【発明を実施するための形態】
【００１０】  図１はこの発明の補助錠の実施形態の前面図、図２は同背面図、図３は同側面図、図４は同縦断面図、図５は同内部構成図である。
【００１１】  補助錠１はその前面形状を正円とし、正円形状の本体プレート２と、本体プレート２の外周に回転可能に装着される環状操作部４と、本体プレート２の前面側を覆うように取り付けられる前面カバー６とから構成される。５は取り付けプレートであり、本体プレート２の背面側を覆うように配置される。本体プレート２の外周に環状操作部４が嵌め込まれて装着された後、その前面に前面カバー６が本体プレート２の背面から差し入れられる固定ネジにより固定されて補助錠１は一体に組み立てられる。取り付けプレート５は予め扉部分に取り付けられ（図１１参照）、その取り付けプレート５に補助錠１が組み付けられるもので、各図は補助錠１に取り付けプレート５が一体に組み付けられた状態を示している。
【００１２】  本体プレート２の上部には横方向にダイヤル錠１０が取り付けられ、その下部にはシリンダー錠１２、連動ギヤ１４が装着されるとともに、一端側に係止部材１０５（図１１参照）の差し込み孔１６が設けられている。連動ギヤ１４は一方側においてシリンダー錠１２のシリンダーケース１３の外周に設けられたギヤ１５に歯合している。２９は固定穴、３１のそれぞれは位置決め係止穴であり、位置決め係止穴３１には、図６に示す係止爪３５を持つ位置決め係止片３３が嵌着されている。５０は係止ボール（係止体）であり、シリンダー錠１２と差し込み孔１６との間に変位可能に設けられている。
【００１３】  上記シリンダー錠１２は、図７、図８に示すように、シリンダーケース１３内にバネ９を介してカム体１１が差し入れられて取り付けられ、シリンダー８０が上方から差し入れられ、側位置から固定ピン１７が差し入れられシリンダーケース１３とシリンダー８０とが固定されることで一体となっている。カム体１１は両先端の係止爪７のそれぞれが係止穴８９のそれぞれに突出状態となって係止し、バネ体９により外方に付勢される状態でシリンダーケース１３内に装着されている。シリンダー８０は外筒８１とその内部の回転作動部と８２とからなり、回転作動部８２の下端には係止筒部８３が設けられている。図８に示す回転作動部８２が下降した位置においては係止筒部８３がカム体１１の係止面８７に係止してカム体１１を外方に押し出した位置とし、鍵により回転作動部８２が回転上昇移動されると係止筒部８３がカム体１１の係止面８７から外れる。
【００１４】  環状操作部４は、図９に示すように、上部位置に係止凹部１８が、側位置にギヤ２０がそれぞれ内方に突出する位置に設けられている。１９のそれぞれはクリック感の発生ボールであり、環状操作部４が回転操作される際に前面カバー６の内面に形成された連続段部に当たることでクリック感を発生する。
【００１５】  本体プレート２に環状操作部４が装着された状態において、本体プレート２のダイヤル錠１０の係止片２２が環状操作部４係止凹部１８に対応する位置にあり、環状操作部４のギヤ２０は本体プレート２の連動ギヤ１４の他方側と歯合する。
【００１６】  前面カバー６にはダイヤル錠１０の露呈窓３９とシリンダー錠１２の操作開口４４とが設けられている。
【００１７】  取り付けプレート５には係止部材１０５の差し込み孔４１が設けられるとともに、図１０に示す係止穴４２を持つ２個の位置決め係止片４３が前方に立設され、さらに、２個の位置決め片４５が後方に立設されている。４７は固定穴である。
【００１８】  図１１はロッカー１００の扉１０２に取り付けプレート５が取り付けられた状態であり、図１２はその取り付けプレート５上に補助錠１が取り付けられた状態を示す。取り付けに際し取り付けプレート５の後面には、図１３に示す両面テープ４９が差し込み孔４１と位置決め片４５とを覆わない状態に付設される。その取り付けプレート５の差し込み孔４１に係止部材１０５を差し込むとともに、位置決め片４５のそれぞれを扉１０２の側面に当接させる状態として両面テープ４９の裏面側を扉１０２面に貼り付けて取り付けプレート５を取り付ける。次に、扉１０２を開いた状態として位置決め係止穴３１それぞれに取り付けプレート５の位置決め係止片４３のそれぞれを挿入し、かつ、若干側方にスライド移動させることで位置決め係止片３３の係止部３５を位置決め係止片４３の係止穴４２に係止して位置決めした状態において、固定穴４７から固定穴２９に固定ネジが螺入固定されることで補助錠１が取り付けられる。
【００１９】  補助錠１は取り付けプレート５に固定されて取り付けられるので、開錠時においても扉から離脱することなく使用される。補助錠１は取り付けプレート５が使用されることなく係止部材１０５のみに係止されて使用されるような構成とされてもよい。
【００２０】  以下、動作説明を行う。
（施錠時）
施錠時においては、ダイヤル錠１０の係止片２２が係止凹部１８に係止して環状操作部４が回転操作できない。その状態においてはシリンダー錠１２における回転作動部８２の係止筒部８３が下降状態にあり、カム体１１の係止面８７に係止してカム体１１を外方に押し出した位置としている。これにより、図１４に示すように、係止ボール５０はシリンダー１２のカム体１１の外面に当接して外方に押されることで係止部材１０５の係止開口１０７に係止している。その結果、補助錠１が係止部材１０５から取り外せないことで扉１０２が開かれることが阻止される。
【００２１】（ダイヤル錠における解錠）
上記施錠時においてダイヤル錠１０を設定番号に合せることでその係止片２２が浮き上がり状態となって係止凹部１８から離脱し、これにより環状操作部４が回転操作されると、ギヤ２０の回転により連動ギヤ１４を介してシリンダーケース１３が回転する。これによりシリンダーケース１３の側面の切欠き凹み部６０が係止ボール５０に相対する位置となり、この状態において補助錠１が引き抜かれると、係止ボール５０は係止部材１０５の係止開口１０７の奥側縁に押されて、図１５に示すように切欠き凹み部６０部分に入り、係止ボール５０は係止部材１０５の係止開口１０７から離脱する。その結果、係止部材１０５から補助錠１を取り外すことで扉１０２が開かれることが可能となる。その際には解錠操作後にそのまま環状操作部４を持って扉１０２を開くことができる。
【００２２】  （シリンダー錠における解錠）
ダイヤル錠１０の設定番号を忘れたり分からない場合は、シリンダー錠１２の操作により解錠が行われる。シリンダー錠１２にキーが差し入れられシリンダー８０の回転作動部８２が回転されると、係止筒部８３が上昇してカム体１１の係止面８７から外れる。この状態において補助錠１が引き抜かれると、係止ボール５０は係止部材１０５の係止開口１０７の奥側縁に押され、図１６に示すようにカム体１１を押し込んで形成された凹み部６２部分に入り、係止ボール５０は係止部材１０５の係止開口１０７から離脱する。その結果、係止部材１０５から補助錠１を取り外すことで扉１０２が開かれることが可能となる。
【００２３】  図１７は使用するダイヤル錠１０の外ケース２０５を外した背面図であり、ダイヤル錠１０のダイヤルリング２００のそれぞれが取り付けられる取り付けリング２０１のそれぞれには、その端部に同様の表示印２０２のそれぞれが付されている。この表示印２０２は、図１８に示すように、外ケース２０５の窓部２０４それぞれを通してダイヤル錠１０の背面から確認でき、さらに、図１９に示すように、本体プレート２の窓部２０６それぞれを通して取り付けプレート５から取り外された補助錠１の背面から確認できるようになっている。したがって、その表示印２０２のそれぞれが窓部２０６を通して外部から確認できる位置となるようにダイヤル錠１０の解錠のための設定番号を設定しておくことで、仮にその設定番号を忘れた場合にもダイヤル錠１０を操作して表示印２０２のそれぞれを確認できる位置として開錠が行え、かつ、その設定番号を認知できる。
【００２４】  図２０はダイヤル錠１０の他の実施形態の正面図であり、ダイヤルリング２００のそれぞれとして、図２１に示すように、「１」から「９」の奇数のみが順次付され、それら奇数の間に「＊」が付されたものを使用している。このダイヤル錠１０においては、例えば設定番号を「１」「２」「３」「４」とする場合には、偶数の「２」「４」を合せるダイヤルリング２０２においては、「２」は「１」と「３」の間の「＊」を、「４」は「３」と「５」の間の「＊」を合わせるようにする。図２０における全てのダイヤルリング２００のダイヤルが「１」と「９」の間の「＊」に合されている場合、「０」「０」「０」「０」に合されていることとなる。このようにすることで仮に設定番号を合せる際にのぞかれても、設定番号が容易に知られることが回避されて防犯性が向上される。
【符号の説明】
【００２５】１    補助錠
４    環状操作部
５０  係止ボール（係止体）
１０２  扉
１０３  扉枠
１０５  係止部材
【図１】
2018119387.tif 000003
【図２】
2018119387.tif 000004
【図３】
2018119387.tif 000005
【図４】
2018119387.tif 000006
【図５】
2018119387.tif 000007
【図６】
2018119387.tif 000008
【図７】
2018119387.tif 000009
【図８】
2018119387.tif 000010
【図９】
2018119387.tif 000011
【図１０】
2018119387.tif 000012
【図１１】
2018119387.tif 000013
【図１２】
2018119387.tif 000014
【図１３】
2018119387.tif 000015
【図１４】
2018119387.tif 000016
【図１５】
2018119387.tif 000017
【図１６】
2018119387.tif 000018
【図１７】
2018119387.tif 000019
【図１８】
2018119387.tif 000020
【図１９】
2018119387.tif 000021
【図２０】
2018119387.tif 000022
【図２１】
2018119387.tif 000023